(57)【要約】【課題】ディスクを取り出さなくても、操作入力手段を介したユーザの指示により、装置本体および記録媒体間の予約モードの切り替えを行うことができる映像記録装置を提案することを目的とする。【解決手段】予約録画情報が保持される予約情報保持部７を有し、予約録画情報が記録された記録媒体１が挿入された場合に、予約情報保持部７に保持される前記記録媒体１の予約録画情報に基づいて録画を行う映像記録装置において、利用者の予約録画情報の切り替え指示が入力される入力操作手段８と、前記入力操作手段８からの利用者の指示に応じて、前記予約録画情報に保持される前記記録媒体１の予約録画情報および装置本体の予約録画情報の切り替えを行う切り替え手段４とを備えるようにしたものである。【選択図】  図１
2004320376.tif 000002
【特許請求の範囲】
【請求項１】
予約録画情報が保持される予約情報保持部を有し、予約録画情報が記録された記録媒体が挿入された場合に、前記予約情報保持部に保持される前記記録媒体の予約録画情報に基づいて録画を行う映像記録装置において、
利用者の予約録画情報の切り替え指示が入力される入力操作手段と、
前記入力操作手段からの利用者の指示に応じて、前記予約録画情報に保持される前記記録媒体の予約録画情報および装置本体の予約録画情報の切り替えを行う切り替え手段とを備える
ことを特徴とする映像記録装置。
【請求項２】
請求項１記載の映像記録装置において、
前記記録媒体および前記装置本体間の予約録画情報を切り替える切り替えボタンを有し、
前記入力操作手段を介し前記切り替えボタンが押されて前記切り替え手段による予約録画情報の切り替えが行われる
ことを特徴とする映像記録装置。
【発明の詳細な説明】
【０００１】
【発明の属する技術分野】
本発明は、例えばＤＶＤ（Ｄｉｇｉｔａｌ  Ｖｅｒｓａｔｉｌｅ  Ｄｉｓｃ）等の予約録画情報が記録された記録媒体が挿入された場合に、前記記録媒体の予約録画情報に基づいて録画を行うＤＶＤレコーダ等に適用して好適な映像記録装置に関する。
【０００２】
【従来の技術】
従来、テレビジョン放送などの予約録画情報が記録されたの記録媒体が挿入された場合に、装置本体に保存されている予約録画情報に代わり、上記記録媒体の予約録画情報に基づいて録画を行う映像記録装置として、例えば、図１３に示すようなＤＶＤレコーダが提案されている。これは、書き換え型ＤＶＤ、例えばＤＶＤ−ＲＷ（ＤＶＤ−ＲｅＷｒｉｔａｂｌｅ）のＶＲ（Ｖｉｄｅｏ  Ｒｃｏｒｄｉｎｇ）フォーマットを利用して実現したものである。ＶＲフォーマットの仕様として、ディスク上にメーカーが自由に使用できる領域が設定されているので、この領域を予約録画情報の記録領域として利用して、上述の録画予約方法を実現している。
【０００３】
図中、１０１は記録媒体のＤＶＤ（以下、ディスクと称する。）であり、１０２はピックアップ等の光学系およびメカユニットからなる読み込み部、１０３はディスク１０１から読み出した予約録画情報（以下、ディスク予約情報と称する。）を抽出するディスク予約情報抽出部、１０４はコンテンツ録画時の予約録画情報としてディスク１０１の予約録画情報および後述する本体予約録画情報を切り替える切り替え部、１０５はキーボードやマウス等の入力操作手段であり、予約録画情報の予約設定や予約修正等を行うためのユーザ・インターフェース（以下、ＵＩと称する。）、１０６はＤＶＤレコーダ内に設けられたフラッシュメモリ等の不揮発性メモリからなる記憶手段であり、ユーザがディスク１０１に記録されるものと別に作成した予約録画情報（以下、本体予約情報という。）をＤＶＤレコーダ本体に記憶する本体予約情報記憶部である。
【０００４】
また、１０７はＲＡＭ（Ｒａｎｄｏｍ  Ａｃｃｅｓｓ  Ｍｅｍｏｒｙ）などの揮発性メモリからなり、切り替え部１０４により選択された予約録画情報が保持・展開される予約情報保持部であり、１０８は読み込み部２同様に光学系およびメカユニットからなり、予約情報保持部に展開された予約情報に基づいて録画対象となっているコンテンツデータをＤＶＤ１に書き込む書き込み手段である。１０９はＤＶＤレコーダと外部ケーブル等で接続され、予約情報保持部１０７に展開された予約録画情報を表示する表示装置としてのグラフィカル・ユーザー・インターフェース（以下、ＧＵＩと称する。）である。
【０００５】
このようなＤＶＤレコーダにおいて、ディスク１０１が装着されていない初期状態では、通常、切り替え部１０４は本体予約情報を選択するように設定されていて、本体予約情報記憶部１０６に保存されている本体予約情報が予約録画情報テーブル１０７に展開される。ユーザは本体予約情報に基づいた録画を行うことができ、またＧＵＩ１０９表示される本体予約情報を確認しながら予約設定や予約修正等行うことができる。この状態を本体予約モードという。
【０００６】
このときに、ディスク１０１がＤＶＤレコーダに装着されると、予約情報保持部１０７に展開されていた本体予約情報は切り替え部４を介して本体予約情報記憶部６に保存される。そして、切り替え部１０４は本体予約情報からディスク予約情報へと切り替わり、空いた予約情報保持部１０７にディスク１０１のディスク予約情報が展開される。この状態をディスク予約モードという。
【０００７】
このように、ＤＶＤレコーダにディスク１０１を挿入するだけで、本体予約モードからディスク予約モードへと簡単に切り替えることができる。
【０００８】
【発明が解決しようとする課題】
しかしながら、一度ディスク予約モードになると、ディスク１０１をＤＶＤレコーダから取り出すか、ディスク予約情報内の予約録画が全て終了するか、あるいはディスク予約情報を予約編集機能で消去するかしないとディスク予約モードを解除することができないという不都合が生じる問題があった。
【０００９】
斯かる点に鑑み、本発明は、ディスクを取り出さなくても、操作入力手段を介したユーザの切り替え指示により、装置本体および記録媒体間の予約モードの切り替えを行うことができる映像記録装置を提案することを目的とする。
【００１０】
【課題を解決するための手段】
本発明の映像記録装置は、予約録画情報が保持される予約情報保持部を有し、予約録画情報が記録された記録媒体が挿入された場合に、予約情報保持部に保持される前記記録媒体の予約録画情報に基づいて録画を行う映像記録装置において、利用者の予約録画情報の切り替え指示が入力される入力操作手段と、前記入力操作手段からの利用者の指示に応じて、前記予約録画情報に保持される前記記録媒体の予約録画情報および装置本体の予約録画情報の切り替えを行う切り替え手段とを備えるようにしたものである。
【００１１】
斯かる本発明によれば、入力操作手段を介して利用者の指示によって予約情報保持部に保持される記録媒体および装置本体の予約録画情報の切り替えを行うことができる。
【００１２】
【発明の実施の形態】
以下、図面図１〜図１２を参照して、本発明の映像記録装置の一実施の形態の例について、ＤＶＤレコーダに適用した例として説明する。
【００１３】
図１に、本例のＤＶＤレコーダの概略システムブロック図を示す。図中、１は記録媒体のＤＶＤ（以下、ディスクと称する。）であり、２はピックアップ等の光学系およびメカユニットからなる読み込み部、３はディスク１から読み出した予約録画情報（以下、ディスク予約情報と称する。）を抽出するディスク予約情報抽出部である。予約録画情報としては、例えば、新聞のテレビジョン放送番組表からのユーザ手動入力やコード入力、あるいはＥＰＧ（Ｅｌｅｃｔｒｏｎｉｃ  Ｐｒｏｇｒａｍ  Ｇｕｉｄｅ）などから予約録画情報を入手することができる。
【００１４】
４はコンテンツ録画時の予約録画情報としてディスク１の予約録画情報および後述する本体予約録画情報を切り替える切り替え部、５はキーボードやマウス等の入力操作手段であって、ユーザが予約録画情報の切り替えを行う切り替え部４に対しユーザが切り替え指示を出したり、予約録画情報の予約設定や予約修正等を行うためのユーザ・インターフェース（以下、ＵＩと称する。）、６はＤＶＤレコーダ内に設けられたフラッシュメモリ等の不揮発性メモリからなる記憶手段であり、ユーザがディスク１のものとは別に作成した予約録画情報（以下、本体予約情報という。）をＤＶＤレコーダ本体に記憶する本体予約情報記憶部である。
【００１５】
また、７はＲＡＭ（Ｒａｎｄｏｍ  Ａｃｃｅｓｓ  Ｍｅｍｏｒｙ）などの揮発性メモリからなり、切り替え部４により選択された予約録画情報が展開される予約情報保持部であり、８は読み込み部２同様に光学系およびメカユニットからなり、予約情報保持部に展開された予約情報に基づいて録画されるコンテンツデータをＤＶＤ１に書き込む書き込み手段である。９はＤＶＤレコーダと外部ケーブルで接続され、予約情報保持部７に展開された予約録画情報を表示する表示装置としてのグラフィカル・ユーザー・インターフェース（以下、ＧＵＩと称する。）である。１０はＤＶＤレコーダ本体に設けられる本体表示管１０、１１は切り替え部４が停電時に選択していた予約録画情報の選択情報を記憶するフラッシュメモリなどからなる不揮発性メモリである。
【００１６】
上述ＤＶＤレコーダにおいて、ディスク１が装着されていない初期状態では、通常、切り替え部４は本体予約情報を選択するように設定されていて、本体予約情報記憶部６に保存されている本体予約情報が予約録画情報テーブル７に展開されている。ユーザは本体予約情報に基づいた予約録画を行うことができ、またＧＵＩ９に表示される本体予約情報を確認しながら予約設定や予約修正等行うことができる。以下、この状態を本体予約モード（ディスク予約オフ）という。
【００１７】
このときに、ディスク１がＤＶＤレコーダに装着されると、予約情報保持部７に展開されていた本体予約情報は切り替え部４を介して本体予約情報記憶部６に保存される。そして、切り替え部４は本体予約情報からディスク予約情報へと切り替わり、空いた予約情報保持部７にディスク１のディスク予約情報が展開される。以下、この状態をディスク予約モード（ディスク予約オン）という。
【００１８】
図２〜図９を参照して、予約モードの切り替えについて説明する。まず、ディスク予約モードから本体予約モードへの切り替えについて述べる。装置本体に予約録画設定されたディスク１が挿入されてディスク予約オンの状態からディスク予約オフ操作する場合、ＧＵＩ９のメニュー画面（図示せず）等よりディスク予約リストまたは番組表（図示せず）を表示する（ステップＳ２１）。以下、ディスク予約リストを例として説明するが、番組表からでも同様の操作である。
【００１９】
図２に、ディスク予約モードの場合に、予約情報保持部７に展開されるディスク予約情報リストの一例を示す。２１は予約日付と曜日、さらに毎日なのか隔週なのかなどの情報、２２は開始および終了時刻、２３はチャンネルを表す。２４、２５は予約録画状況または予約状況を示すマークで、例えば２４は予約録画実行中を表す。２６は、予約の重複を示すマークで、重複マークがついているイベントは設定した予約時間内の放送全てを録画できないことを示す。また、２７はディスクの種別とアプリケーションフォーマットを表示し、２８は装置本体に挿入されているディスク名を表示するものである。２９は予約録画情報の切り替え他に使用するディスク予約ツールに移動するボタンである。尚、記録ビットレートを可変するいわゆるＳＰ、ＥＰ等の記録モード表示させたりと、予約リストの構成はこの例に限るものではない。
【００２０】
ディスク予約リストに予約を追加したい場合には、図示しない予約追加ボタンを選択して、図４に示すような、録画予約設定画面を表示させる。そして、ＵＩ５を操作して予約録画したいイベントについて、基本情報として、録画日、録画開始時間、録画終了時間、チャンネル、録画時間を設定する録画モードを入力し、確定ボタンを押して録画予約を設定することができる。この録画予約設定方法については、慣用技術であり種々の操作が考えられる。
【００２１】
次に、ディスク予約リストのツールボタン２９を押して、ディスク予約のツール項目を表示させる（ステップＳ２２）。図５にディスク予約のツール項目の一例を示す。ツール項目４１として、この例では、ディスク予約オフ４２を含む、録画予約、録画モード自動調整、およびディスク情報等の項目が用意されているが、この例に限るものではない。
【００２２】
ディスク予約オフしたい場合は、ＵＩ５を介してディスク予約オフ４２を選択する（ステップＳ２３）。そうすると、予約情報保持部７に展開していたディスク予約情報を書き込み部８を介してディスク１に書き込んで保存した後、切り替え部８が本体予約に切り替わり、本体予約情報記憶部６から本体予約情報を読み出し（ステップＳ２４）、予約情報保持部７に展開される。然して、ディスク予約が解除され、ディスク予約モードから本体予約モードに切り替わり、ＧＵＩ９には本体予約リストが表示される（ステップＳ２５）。番組表からツールを選択した場合も同様である。
【００２３】
次に、図６〜図９を参照して、本体予約モードからディスク予約モードへの切り替えについて説明する。図７〜図９において、図３〜図５に対応する部分には同一符号を付す。まず、装置本体にディスク１が挿入されてディスク予約オフ状態からディスク予約オンとしたい場合、まずＧＵＩ９に本体予約リストまたは番組表（図示せず）を表示する（ステップＳ３１）。以下、本体予約リストを例として説明するが、番組表からでも同様の操作である。
【００２４】
図７に、本体予約モードの場合に、予約情報保持部７に展開される本体予約情報リストの一例を示す。基本的な構成は図３ディスク予約リストに準じており、３１は予約録画開始時刻、３２は録画するイベントの番組名、３９は予約録画情報の切り替え他に使用する本体予約ツールに移動するボタンである。尚、この予約リストの構成はこの例に限るものではない。
【００２５】
本例の本体予約リスト表示にはズーム表示機能があり、例えば、ＵＩ５を操作して参照したいイベントを選択し、図８に示すような、ズーム表示画面を表示することができる。ズーム表示では、例えば、予約イベントのタイトル３２や記録モード３４、チャンネルの放送局名３５など、図７本体予約リストのメイン画面よりも詳細な情報を得ることができる。
【００２６】
本体予約リストに予約を追加したい場合には、ディスク予約の予約イベント追加操作と同様、図示しないメニュー等の予約追加機能を選択して、図４に示す録画予約設定画面を表示させる。そして、ＵＩ５を操作して予約録画したいイベントについて、基本情報として、録画日２１、録画開始時間２２ａ、録画終了時間２２ｂ、チャンネル２３、録画モード３４を入力し、確定ボタンを押して録画予約を設定することができる。
【００２７】
次に、本体予約リストのツールボタン２９を押して、本体予約のツール項目を表示させる（ステップＳ３２）。図９に本体予約のツール項目の一例を示す。ツール項目４１として、この例では、ディスク予約オン５２を含む、録画予約、録画モード自動調整、およびディスク情報等の項目が用意されているが、この例に限るものではない。
【００２８】
ディスク予約オンしたい場合は、ＵＩ５を介してディスク予約オン５２を選択する（ステップＳ３３）。そうすると、予約情報保持部７に展開していた本体予約情報を本体予約情報記憶部６に保存した後、切り替え部８がディスク予約に切り替わり、ディスク１からディスク予約情報を読み出し（ステップＳ３４）、予約情報保持部７に展開される。然して、ディスク予約が解除され、本体予約モードからディスク予約モードに切り替わり、ＧＵＩ９にディスク予約リストが表示される（ステップＳ３５）。番組表からツールを選択した場合には番組表が表示される。
【００２９】
以上のディスク予約モードおよび本体予約モードの切り替えの関係を、図１０フローチャートに示す。まず、録画予約設定された予約情報を有するディスクが装置本体に挿入されていてディスク予約モード（ステップＳ４０）である場合、ディスクが取り出されたかどうかを判断し（ステップＳ４１）、ディスクが取り出された場合は本体予約モードとなる。またディスクが挿入されている状態でディスク予約オフ操作が行われる（ステップＳ４２）と、本体予約モードに切り替わる。ディスク予約オフ操作が行われない場合は、ディスク予約モードのままである。
【００３０】
予約モードが本体予約モードである場合（ステップＳ４３）、ディスク予約が設定されたディスクを装置本体に挿入すると、ディスク予約モードに切り替わる。このときディスク予約設定のないディスクが挿入されても本体予約モードのままとする。そして、ディスクが挿入されない場合には、ディスク予約オン操作がなされたかどうかを判断し（ステップＳ４５）、ディスク予約オン操作すると、ディスク予約モードに切り替わり、ディスク予約オン操作を行わないときは、本体予約モードのままとなる。
【００３１】
尚、上述ステップＳ４１にて、ディスク内のディスク予約録画が全て実行されてしまった場合には、ディスク内の予約情報は消去されるので、ディスクを取り出したときのように本体予約モードに切り替わるようにしてもよい。
【００３２】
このように、本例においては、ＵＩ５を介してユーザの指示によってもディスク予約オン／オフ操作を行うことができるようにしたので、従来のように逐一予約設定されたディスクの抜き差しによりディスク予約のオン／オフを行わなくても、予約録画作業の使い勝手を向上させることができる。
【００３３】
本例では、停電があった場合、電源復帰時に停電前の予約モード選択状態がわかる機能を設けている。図１１は、停電から電源復帰した場合のＧＵＩ９および本体表示管１０の表示例を表すものである。まず、停電前の状態として、ディスク予約はオンであったかどうかを判断する（ステップＳ５１）。不揮発性メモリ１１に、停電前の予約モードがディスク予約または本体予約のどちらであったかを記録しており、停電が発生した場合、不揮発性メモリ１１からその時点の予約モード情報を読み出すように構成し、ディスク予約であった場合はディスク予約オンのフラグを立てる（ステップＳ５２）。
【００３４】
そして、ＧＵＩ９はフラグ情報に基づきディスク予約オンであった旨を表示する（ステップＳ５３）。表示内容の例としては、例えば、「ディスク予約がオンです。ディスク予約を無効にするか、ディスクを取り替えるまで本体の予約は実行されません」などと表示する。また、本体表示管１１には、「ディスク予約保持」などと表示させる（ステップＳ５４）。これらの表示を５秒程度ユーザに通知したら、表示を消すまたは通常のメニュー画面を表示するようにしてもよい。
【００３５】
この場合、ユーザはＧＵＩ９の電源を入れて予約リスト等を表示させなくても、停電前の予約モードの種別を簡単に認識することができ、例えば考えていた予約モードと異なるために間違ったイベントを予約録画するといった不都合を解消することができる。
【００３６】
また、本例では、本体表示管１１にディスク予約オン／オフを表す表示等としてディスク予約ＬＥＤと、ディスク予約情報および本体予約情報のいずれかが存在するときに点灯されるタイマ録画ＬＥＤとを設けるようにしている。図１２にそのディスク予約ＬＥＤおよびタイマ録画ＬＥＤの点灯パターンを示す。白丸が点灯、黒丸が消灯を表す。例えば、ディスク予約オンでディスク予約ＬＥＤが点灯していても、タイマ録画ＬＥＤ表示を見ることで予約情報の有無を判断することができる。したがって、いずれかに予約モードを設定したのに、予約情報がなくて録画できなかったというような失敗を減らすことができる。  上述ＬＥＤはユーザは視認可能なものであればよく、液晶表示などでもよい。
【００３７】
尚、本発明は、上述ＤＶＤプレーヤの例に限らず、予約録画情報を記録した記録媒体を抜き差しして記録媒体の予約録画情報に基づいて録画を行う映像記録装置に適用することができる。
【００３８】
また、本発明は上述した実施の形態の例に限られるものではなく、本発明の要旨を逸脱することなくその他種々の構成を取り得ることは勿論である。
【００３９】
【発明の効果】
斯かる本発明によれば、従来のように逐一予約録画情報が設定された記録媒体の抜き差しを行わなくても、入力操作手段を介して利用者の指示によって予約情報保持部に保持される記録媒体および装置本体の予約録画情報の切り替えを行うことができるので、利用者の予約録画作業の使い勝手を向上させることができる。
【図面の簡単な説明】
【図１】本発明の一実施の形態の例のシステムブロック図である。
【図２】本発明の一実施の形態の例のディスク予約オフ操作を示すフローチャートである。
【図３】本発明の一実施の形態の例のディスク予約リストを示す線図である。
【図４】本発明の一実施の形態の例の録画予約設定画面である。
【図５】本発明の一実施の形態の例のディスク予約ツール項目例を示す線図である。
【図６】本発明の一実施の形態の例のディスク予約オン操作を示すフローチャートである。
【図７】本発明の一実施の形態の例の本体予約リストを示す線図である。
【図８】本発明の一実施の形態の例の本体予約リストのズーム表示を示す線図である。
【図９】本発明の一実施の形態の例の本体予約ツール項目例を示す線図である。
【図１０】本発明の一実施の形態の例のディスク予約および本体予約モードの切り替えを示すフローチャートである。
【図１１】本発明の一実施の形態の例の停電時からの電源オン時の表示を示すフローチャートである。
【図１２】本発明の一実施の形態の例のディスク予約ＬＥＤ、タイマ録画ＬＥＤ点灯パターンを示す線図である。
【図１３】従来のシステム構成の一例を示すブロック図である。
【符号の説明】
１…ディスク、２…読み出し部、３…ディスク予約情報抽出部、４…切り替え部、５…ＵＩ、６…本体予約情報記憶部、７…予約情報保持部、８…書き込み部、９…ＧＵＩ、１０…本体表示管、１１…不揮発性メモリ、２１…予約日時・曜日、２２…開始・終了時刻、２３…チャンネル、２７…ディスクの種別とフォーマット、２９，３９…ツールボタン、３４…記録モード、４１，５１…ツール項目、４２…ディスク予約オフボタン、５２…ディスク予約オンボタン
【図１】
2004320376.tif 000003
【図２】
2004320376.tif 000004
【図３】
2004320376.tif 000005
【図４】
2004320376.tif 000006
【図５】
2004320376.tif 000007
【図６】
2004320376.tif 000008
【図７】
2004320376.tif 000009
【図８】
2004320376.tif 000010
【図９】
2004320376.tif 000011
【図１０】
2004320376.tif 000012
【図１１】
2004320376.tif 000013
【図１２】
2004320376.tif 000014
【図１３】
2004320376.tif 000015